(57)【要約】  ＰＨＩＣＨが送信される資源領域に関する情報を獲得する方法及びこれを用いるＰＤＣＣＨを受信する方法が開示される。ＰＨＩＣＨが送信される資源領域は、サブフレーム当たりのＰＨＩＣＨの個数に対応する第１情報と、サブフレーム内でＰＨＩＣＨの持続期間に対応する第２情報とにより特定することができる。このような第１情報は、あらかじめ決定された基本個数に特定定数が乗算された形態で特定することができ、この時、特定定数はＰＢＣＨを通じて送信することができる。また、第２情報も、ＰＢＣＨから獲得することができる。
2010518734.tif 000002
【特許請求の範囲】
【請求項１】
ユーザ機器（ＵＥ）が、物理ＨＡＲＱインジケータチャネル（ＰＨＩＣＨ；Physical hybrid ARQ indicator channel）が送信される資源領域の情報を獲得する方法であって、
物理放送チャネル（ＰＢＣＨ；Physical broadcast channel）を受信する段階と、
前記受信したＰＢＣＨの情報によって前記ＰＨＩＣＨが送信される資源領域の情報を獲得する段階と、
を含み、
前記ＰＨＩＣＨが送信される資源領域は、サブフレーム当たりのＰＨＩＣＨの個数（Ｎ）に対応する第１情報と、サブフレーム当たりのＰＨＩＣＨの持続期間（ｍ）に対応する第２情報とによって決定され、
前記第１情報は、システム帯域幅によってあらかじめ決定された基本個数に特定定数が乗算された値として決定され、
前記特定定数は、前記受信したＰＢＣＨの情報から獲得されることを特徴とする、ＰＨＩＣＨ送信資源領域情報の獲得方法。
【請求項２】
前記第１情報は、サブフレーム当たりのＰＨＩＣＨの個数（Ｎ）情報またはサブフレーム当たりのＰＨＩＣＨグループの個数（ＧN）情報のいずれかである、請求項１に記載のＰＨＩＣＨ送信資源領域情報の獲得方法。
【請求項３】
前記第２情報は、前記受信したＰＢＣＨの情報から獲得される、請求項１に記載のＰＨＩＣＨ送信資源領域情報の獲得方法。
【請求項４】
前記ＰＢＣＨは、前記サブフレーム当たりのＰＨＩＣＨの持続期間（ｍ）情報を表すためのシグナリング情報を含む、請求項３に記載のＰＨＩＣＨ送信資源領域情報の獲得方法。
【請求項５】
前記特定定数は、１／６、１／２、１または２のいずれかである、請求項１または２に記載のＰＨＩＣＨ送信資源領域情報の獲得方法。
【請求項６】
ユーザ機器（ＵＥ）が物理ダウンリンク制御チャネル（ＰＤＣＣＨ；Physical downlink control channel）を受信する方法であって、
物理放送チャネル（ＰＢＣＨ；Physical broadcast channel）を受信する段階と、
前記受信したＰＢＣＨの情報によって物理ＨＡＲＱインジケータチャネル（ＰＨＩＣＨ；Physical hybrid ARQ indicator channel）が送信される資源領域の情報を獲得する段階と、
前記ＰＨＩＣＨが送信される資源領域の情報によって前記ＰＤＣＣＨを受信する段階と、
を含み、
前記ＰＨＩＣＨが送信される資源領域は、サブフレーム当たりのＰＨＩＣＨの個数（Ｎ）に対応する第１情報と、サブフレーム当たりのＰＨＩＣＨの持続期間（ｍ）に対応する第２情報とによって決定され、
前記第１情報は、システム帯域幅によってあらかじめ決定された基本個数に特定定数が乗算された値として決定され、
前記特定定数は、前記受信したＰＢＣＨの情報から獲得されることを特徴とする、ＰＤＣＣＨ受信方法。
【請求項７】
前記第１情報は、サブフレーム当たりのＰＨＩＣＨの個数情報またはサブフレーム当たりのＰＨＩＣＨグループの個数情報のいずれかである、請求項６に記載のＰＤＣＣＨ受信方法。
【請求項８】
前記第２情報は、前記受信したＰＢＣＨの情報から獲得される、請求項６に記載のＰＤＣＣＨ受信方法。
【請求項９】
前記ＰＤＣＣＨは、各サブフレームの最初のＯＦＤＭシンボルから所定のＯＦＤＭシンボル区間内に、前記ＰＨＩＣＨが送信される資源領域以外の資源領域を通じて受信され、
前記ＰＤＣＣＨ受信段階は、前記所定のＯＦＤＭシンボル区間内で、前記ＰＨＩＣＨが送信される資源領域以外の前記ＰＤＣＣＨを受信する資源領域のみをＰＤＣＣＨ探索領域としてデコーディングする段階を、を含む、請求項６に記載のＰＤＣＣＨ受信方法。
【請求項１０】
物理ＨＡＲＱインジケータチャネル（ＰＨＩＣＨ；Physical hybrid ARQ indicator channel）が送信される資源領域の情報を伝達する方法であって、
特定定数情報を含む物理放送チャネル（ＰＢＣＨ；Physical broadcast channel）を送信する段階を含み、
前記ＰＨＩＣＨが送信される資源領域は、サブフレーム当たりのＰＨＩＣＨの個数（Ｎ）に対応する第１情報と、サブフレーム当たりのＰＨＩＣＨの持続期間（ｍ）に対応する第２情報と、によって決定され、
前記第１情報は、システム帯域幅によってあらかじめ決定された基本個数に前記特定定数が乗算された値として決定されることを特徴とするＰＨＩＣＨ送信資源領域情報の伝達方法。
【請求項１１】
前記第１情報は、サブフレーム当たりのＰＨＩＣＨの個数情報またはサブフレーム当たりのＰＨＩＣＨグループの個数情報のいずれかである、請求項１０に記載のＰＨＩＣＨ送信資源領域情報の伝達方法。
【請求項１２】
前記ＰＢＣＨは、前記第２情報を表すためのシグナリング情報を含む、請求項１０に記載のＰＨＩＣＨ送信資源領域情報の伝達方法。
【発明の詳細な説明】
【技術分野】
【０００１】
本発明は、移動通信システムで物理ＨＡＲＱ（ハイブリッドＡＲＱ）インジケータチャネル（ＰＨＩＣＨ；Physical hybrid ARQ indicator channel）が送信される資源領域の位置情報を獲得する方法及びこれを用いて物理ダウンリンク制御チャネル（ＰＤＣＣＨ；Physical downlink control channel）を受信する方法に関する。
【背景技術】
【０００２】
移動通信システムでパケットを送信する時に、受信機は、パケット受信に成功したか否かを送信機に知らせなければならない。パケット受信に成功した場合には、ＡＣＫを送信し、送信機が新しいパケットを送信するようにし、失敗した場合には、ＮＡＣＫを送信し、送信機が当該パケットを再送信するようにする。このような動作をＡＲＱ（automatic request （自動再送））という。
【０００３】
ＡＲＱ動作は、チャネルコーディング（channel coding）技法と組み合せることができる。特に、上述したＡＲＱ方式は、再送信されたパケットを既に受信したパケットと組み合せることで、誤り率（error rate）を低減し、システム全体の効率を高めるＨＡＲＱ（hybrid ARQ：ハイブリッドＡＲＱ）として提案されている。システムスループット（throughput）を向上させるために、ＨＡＲＱでは、既存のＡＲＱ動作に比べてより高速で受信機からＡＣＫ／ＮＡＣＫ応答を受信することが要求される。したがって、ＨＡＲＱにおいてＡＣＫ／ＮＡＣＫは物理チャネルシグナリングで送信される。
【０００４】
ＨＡＲＱの具現方法は、２種類に大別される。その一つはＣＣ（Chase combining：チェイス合成）で、再送信する時に、既に送信したパケットと同じ変調方式とコーディングレートによる同一のコードビットを用いて送信する方法である。もう一つは、ＩＲ（incremental redundancy：増加冗長性）で、再送信する時に、既に送信したパケットと異なる変調方式及びコーディングレートを用いて送信することが可能な方法である。この時、受信機ではコーディングの多様性（coding diversity）によってシステムスループットを向上させることができる。
【０００５】
多重搬送波セルラー移動通信システムでは、一つあるいは複数のセルに属するユーザ機器が基地局へとアップリンクデータパケット送信を行なう。１サブフレーム（subframe）内で複数のユーザ機器がアップリンクデータパケットを送信できるので、基地局も同様、１サブフレーム内で複数のユーザ機器にＡＣＫ／ＮＡＣＫ信号を送信できるようにしなければならない。具体的には、３ＧＰＰ  ＬＴＥシステムでは、物理ＨＡＲＱインジケータチャネル（Physical hybrid ARQ indicator channel；以下、“ＰＨＩＣＨ”という）、すなわち、アップリンクＨＡＲＱのためのダウンリンクＡＣＫ／ＮＡＣＫ情報が送信されるチャネルを通じて基地局が複数のユーザ機器にＡＣＫ／ＮＡＣＫ信号を送信する。
【０００６】
基地局が１サブフレーム内でユーザ機器に送信する複数のＡＣＫ／ＮＡＣＫ信号を、多重搬送波システムのダウンリンク伝送帯域の一部の時間−周波数領域内でＣＤＭＡ方式によって多重化する場合に、この時間−周波数領域内において、他のユーザ機器に対するＡＣＫ／ＮＡＣＫ信号とは、乗算される直交符号または準直交符号により区別される。また、ＱＰＳＫ伝送を行なう場合には、二つの互いに異なる直交位相（phase）成分で区別することができる。具体的には、３ＧＰＰ  ＬＴＥシステムでは、複数のＡＣＫ／ＮＡＣＫ信号が複数のＰＨＩＣＨを通じてＣＤＭＡ方式で多重化されて送信されるが、このようにＣＤＭＡ方式で多重化されて送信される単位を“ＰＨＩＣＨグループ”という。
【０００７】
一方、特定のユーザ機器があるセルにアクセス開始を試みる場合、このユーザ機器は該当のセルのシステム情報を獲得する必要がある。かかるシステム情報のうち、システム帯域幅などのような基本的な情報は、物理放送チャネル（Physical broadcast channel；以下、“ＰＢＣＨ”という）を通じて受信することができる。ただし、該当のセルのシステム情報のうち、より具体的なシステム情報を獲得するためには、ユーザ機器は、一般的なダウンリンクデータが送信されるチャネルである物理ダウンリンク共有チャネル（Physical Downlink Shared Channel；以下、“ＰＤＳＣＨ”という。）を受信する必要がある。
【０００８】
この時、ＰＤＳＣＨのスケジューリング情報は各サブフレームのＰＤＣＣＨを通じて送信されるので、アクセスを開始しようとしているユーザ機器は、ＰＢＣＨを受信した後に特定サブフレームのＰＤＣＣＨを受信し、このサブフレームから、詳細システム情報を送信するＰＤＳＣＨに関するスケジューリング情報を知ることができる。この時、詳細システム情報を送信するＰＤＳＣＨに関するスケジューリング情報を持っているＰＤＣＣＨを受信するためには、該当のＰＤＣＣＨの送信位置を知る必要がある。
【０００９】
一般に、ＰＤＣＣＨは、ＰＨＩＣＨ及びその他制御信号が送信される資源要素（Resource Element；ＲＥ）以外のＲＥにマッピングされるので、ＰＤＣＣＨを受信するためには、まず、ＰＨＩＣＨ及びその他の制御信号がどのように資源領域にマッピングされているかを知らなければならない。
【発明の概要】
【発明が解決しようとする課題】
【００１０】
本発明は上記の点に鑑みてなされたもので、その目的は、移動通信システムにおいてＰＨＩＣＨが送信される資源領域の位置情報を獲得する方法と、これを用いて物理ダウンリンク制御チャネル（ＰＤＣＣＨ）を受信する方法を提供することによって、従来技術における制約や欠点に起因する１つ又は複数の問題を除去するすることにある。
【００１１】
本発明の目的は、移動通信システムにおけるＰＨＩＣＨに関する資源領域情報を獲得する方法と、これを用いて物理ダウンリンク制御チャネル（ＰＤＣＣＨ）を受信する方法とを提供することである。これらの方法によって、ＰＨＩＣＨを送信するための資源領域の位置情報は効率良く送信され、アクセスを開始するユーザ機器は、容易にＰＤＣＣＨを受信することができる。
【００１２】
本発明の他の特徴や利点に関しては以下の記載で説明されるが、一部はこの記載によって明らかになり、或いは、本発明を実施することによって理解されるであろう。本発明の目的及び他の利点は、記載された明細書及び特許請求の範囲、並びに添付の図面によって示される構成によって理解され達成されるであろう。
【課題を解決するための手段】
【００１３】
上記の目的を達成するための本発明の一実施形態では、ユーザ機器（ＵＥ）が物理ＨＡＲＱインジケータチャネル（ＰＨＩＣＨ；Physical hybrid ARQ indicator channel）が送信される資源領域の情報を獲得する方法において、物理放送チャネル（ＰＢＣＨ；Physical broadcast channel）を受信する段階と、該受信したＰＢＣＨの情報によって前記ＰＨＩＣＨが送信される資源領域の情報を獲得する段階と、を含み、前記ＰＨＩＣＨが送信される資源領域は、サブフレーム当たりのＰＨＩＣＨの個数（Ｎ）に対応する第１情報とサブフレーム当たりのＰＨＩＣＨの持続期間（ｍ）に対応する第２情報とによって決定され、前記第１情報は、システム帯域幅によってあらかじめ決定された基本個数（例えば、ＰＨＩＣＨの基本個数またはＰＨＩＣＨグループの基本個数）に特定定数が乗算された値として決定され、前記特定定数は、前記受信したＰＢＣＨの情報から獲得されることを特徴とするＰＨＩＣＨ送信資源領域情報の獲得方法を提供する。
【００１４】
また、本発明の他の実施形態では、ユーザ機器（ＵＥ）が物理ダウンリンク制御チャネル（ＰＤＣＣＨ；Physical downlink control channel）を受信する方法において、物理放送チャネル（ＰＢＣＨ；Physical broadcast channel）を受信する段階と、該受信したＰＢＣＨの情報によって物理ＨＡＲＱインジケータチャネル（ＰＨＩＣＨ；Physical hybrid ARQ indicator channel）が送信される資源領域の情報を獲得する段階と、前記ＰＨＩＣＨが送信される資源領域の情報によって前記ＰＤＣＣＨを受信する段階と、を含み、前記ＰＨＩＣＨが送信される資源領域は、サブフレーム当たりＰＨＩＣＨの個数（Ｎ）に対応する第１情報とサブフレーム当たりＰＨＩＣＨの持続期間（ｍ）に対応する第２情報とによって決定され、前記第１情報は、システム帯域幅によってあらかじめ決定された基本個数（例えば、ＰＨＩＣＨの基本個数またはＰＨＩＣＨグループの基本個数）に特定定数が乗算された値として決定され、前記特定定数は、前記受信したＰＢＣＨの情報から獲得されることを特徴とするＰＤＣＣＨ受信方法を提供する。
【００１５】
この時、前記第１情報は、サブフレーム当たりのＰＨＩＣＨの個数情報またはサブフレーム当たりのＰＨＩＣＨグループの個数情報のいずれかであり、前記第２情報は、前記受信したＰＢＣＨの情報から獲得することができる。
【００１６】
また、前記ＰＢＣＨは、前記サブフレーム当たりのＰＨＩＣＨの持続期間（ｍ）情報を表すためのシグナリング情報を含むことができ、この時、シグナリング情報の長さは１ビットでもよい。また、前記特定定数は、１／６、１／２、１または２のいずれかでもよい。
【００１７】
前記ＰＤＣＣＨは、各サブフレームの最初のＯＦＤＭシンボルから所定のＯＦＤＭシンボル区間内に、前記ＰＨＩＣＨが送信される資源領域以外の資源領域を通じて受信することができ、前記ＰＤＣＣＨ受信段階は、前記所定のＯＦＤＭシンボル区間内で、前記ＰＨＩＣＨが送信される資源領域以外の資源領域のみをＰＤＣＣＨ探索領域としてデコーディングする段階を含むことができる。
【００１８】
一方、上記の課題を達成するための本発明の他の側面では、物理ＨＡＲＱインジケータチャネル（ＰＨＩＣＨ；Physical hybrid ARQ indicator channel）が送信される資源領域の情報を伝達する方法において、特定定数情報を含む物理放送チャネル（PBCH；Physical broadcast channel）を送信する段階を含み、前記ＰＨＩＣＨが送信される資源領域は、サブフレーム当たりのＰＨＩＣＨの個数（Ｎ）に対応する第１情報とサブフレーム当たりのＰＨＩＣＨの持続期間（ｍ）に対応する第２情報とによって決定され、前記第１情報は、システム帯域幅によってあらかじめ決定された基本個数（例えば、ＰＨＩＣＨの基本個数またはＰＨＩＣＨグループの基本個数）に前記特定定数が乗算された値として決定されることを特徴とするＰＨＩＣＨ送信資源領域情報の伝達方法を提供する。
【００１９】
この場合にも、前記第１情報は、サブフレーム当たりのＰＨＩＣＨの個数情報またはサブフレーム当たりのＰＨＩＣＨグループの個数情報のいずれかであり、前記ＰＢＣＨは、前記第２情報を表すためのシグナリング情報を含むことができる。
【発明の効果】
【００２０】
上述した本発明の各実施形態によると、ＰＨＩＣＨが送信される資源領域の位置情報を效率的に伝達することができ、これを用いてアクセスを開始するユーザ機器がＰＤＣＣＨを容易に受信することが可能になる。
【図面の簡単な説明】
【００２１】
【図１】無線通信システムを示すブロック図である。
【図２Ａ】第１情報及び第２情報に基づくＰＨＩＣＨが送信される資源領域の位置とこれに対応するＰＤＣＣＨが送信される位置との概念を説明するための例示図である。
【図２Ｂ】第１情報及び第２情報に基づくＰＨＩＣＨが送信される資源領域の位置とこれに対応するＰＤＣＣＨが送信される位置との概念を説明するための例示図である。
【図２Ｃ】第１情報及び第２情報に基づくＰＨＩＣＨが送信される資源領域の位置とこれに対応するＰＤＣＣＨが送信される位置との概念を説明するための例示図である。
【図２Ｄ】第１情報及び第２情報に基づくＰＨＩＣＨが送信される資源領域の位置とこれに対応するＰＤＣＣＨが送信される位置との概念を説明するための例示図である。
【図３】アクセスを開始するユーザ機器がＰＤＳＣＨを受信できるようにする情報の関係を説明するための概念図である。
【発明を実施するための形態】
【００２２】
本発明に関して上述した概括的な説明及び以下で述べる詳細な説明は、ともに例示や解説として、特許請求の範囲に記載された本発明をさらに説明するものである。
添付の図面は、本発明をより良く理解するため、この詳細な説明に組み込まれてその一部をなすものであり、本発明の実施例を図示し、詳細な説明と共に本発明の原理について説明することに寄与するものである。
【００２３】
以下、添付の図面に例示された本発明による好適な実施形態を参照しつつ詳細に説明する。
図１は、無線通信システムを示すブロック図である。
【００２４】
無線通信システムは、音声、パケットデータなどの様々な通信サービスを提供するために広範囲で配置される。図１を参照すると、無線通信システムは、ユーザ機器（User Equipment：ＵＥ）１０及び基地局（Base Station：ＢＳ）２０を含む。ユーザ機器１０は固定されていても移動可能でもよく、ユーザ装置（User Equipment：ＵＥ）、移動局（Mobile Station：ＭＳ）、ユーザ端末（User Terminal：ＵＴ）、加入者局（Subscriber Station：ＳＳ）、無線機器（Wireless Device）等、他の用語で呼ばれることもある。基地局２０は、一般に、ユーザ機器１０と通信する固定局（fixed station）のことをいい、ノードＢ（Node B）、無線基地局（Base Transceiver System：ＢＴＳ）、アクセスポイント（Access Point）等、他の用語で呼ばれることがある。一つの基地局２０には一つ以上のセルが存在しうる。
【００２５】
上記無線通信システムは、ＯＦＤＭ（Orthogonal Frequency Division Multiplexing：直交周波数分割多重）／ＯＦＤＭＡ（Orthogonal Frequency Division Multiple Access：直交周波数分割多元アクセス）基盤システムでありうる。ＯＦＤＭは複数の直交副搬送波を利用する。ＯＦＤＭは、ＩＦＦＴ（inverse fast Fourier Transform：逆高速フーリエ変換）とＦＦＴ（fast Fourier Transform：高速フーリエ変換）との間の直交性特性を利用する。送信機でデータはＩＦＦＴを行なって送信する。受信機では受信信号に対してＦＦＴを行なって元のデータに復元する。送信機は、多重副搬送波を結合するためにＩＦＦＴを使用し、多重副搬送波を分離するために受信機は対応するＦＦＴを使用する。
【００２６】
本発明は、このような無線通信システムでＰＨＩＣＨが送信される資源領域の位置情報を效率的に伝達し、これを用いてアクセスを開始するユーザ機器がＰＤＣＣＨを容易に受信する方法を提供する。このために、まず、ＰＨＩＣＨが送信される資源領域をどのように特定できるかについて説明する。
【００２７】
３ＧＰＰ  ＬＴＥシステムでＰＨＩＣＨは、各サブフレームのＯＦＤＭシンボルのうち、最初のｍ個（ｍ≧１）のＯＦＤＭシンボルを通じて送信される。また、ＰＨＩＣＨ及びその他の制御信号は、該当のサブフレームの最初のｎ個（ｍ≦ｎ）のＯＦＤＭシンボル内の特定の資源要素（resource element：ＲＥ）を通じて送信される。一方、ＰＤＣＣＨは、サブフレームのｎ個のＯＦＤＭシンボル内で上述したＰＨＩＣＨ及びその他の制御信号が送信されるＲＥ以外のＲＥを通じて送信される。したがって、ユーザ機器は、各サブフレームのＰＤＣＣＨを通じてスケジューリング情報を受信するためには、該サブフレームにＰＨＩＣＨがどのようにマッピングされているかを知らなければならない。
【００２８】
各セルの各サブフレームにおけるＰＨＩＣＨの資源領域マッピングは、当該サブフレームに存在するＰＨＩＣＨの個数であるＮ値に対応する情報と、当該サブフレームでＰＨＩＣＨがマッピングされるＯＦＤＭシンボルの個数であるｍ値に対応する情報を含む２つの因子によって決定することができる。ここで、ＰＨＩＣＨがマッピングされるＯＦＤＭシンボルの個数は、ＰＨＩＣＨ持続期間（PHICH duration）と呼ぶこともできる。したがって、ユーザ機器は、各サブフレームのＰＤＣＣＨを受信するために上述の２つの因子を知らなければならない。
【００２９】
一方、ＰＨＩＣＨグループとは、ＰＨＩＣＨがＣＤＭＡ方式で多重化されている集合のことを意味する。すなわち、同じ資源要素（ＲＥ）セットにマッピングされる複数のＰＨＩＣＨは、ＰＨＩＣＨグループを構成する。この時、ＰＨＩＣＨグループ内の各ＰＨＩＣＨは、互いに異なる直交シーケンスにより区分することができる。このようなＰＨＩＣＨグループの個数をＧNと表記する場合、ＧNは、ＰＨＩＣＨの個数Ｎ値と次のような関係を持つ。
N=GN*C
【００３０】
ここで、Ｃは、ＣＤＭＡ方式で多重化される時に使われる直交あるいは準直交符号の個数を表す。Ｃの値は、システムに環境によって固定的に定めることができるので、ＰＨＩＣＨグループの個数ＧN値によってＰＨＩＣＨの個数Ｎ値がわかる。したがって、上述したサブフレーム当たりＰＨＩＣＨの個数Ｎに対応する情報は、Ｎ値そのものであっても、ＧN値であってもよい。
【００３１】
要するに、ＰＨＩＣＨが送信される資源領域の位置は、サブフレーム当たりのＰＨＩＣＨの個数ＮまたはＮに対応するサブフレーム当たりのＰＨＩＣＨグループ情報（以下、“第１情報”という）と、サブフレーム当たりのＰＨＩＣＨがマッピングされるＯＦＤＭシンボルの個数ｍ値（以下、“第２情報”という）と、により決定することができる。また、これらの情報に基づいてＰＨＩＣＨが送信される資源領域の位置が決定される場合、それに基づいてＰＤＣＣＨが送信される資源領域の位置を決定することができる。
【００３２】
図２Ａ〜図２Ｄは、第１情報及び第２情報に基づくＰＨＩＣＨが送信される資源領域の位置とこれに対応するＰＤＣＣＨが送信される位置との概念を説明するための例示図である。
【００３３】
具体的に、図２Ａ及び図２Ｂは、サブフレーム内の制御情報送信のためのＯＦＤＭシンボル区間ｎが３で、ＰＨＩＣＨグループの個数ＧNが２である場合について、ＰＨＩＣＨ持続期間ｍが１の場合と３の場合とをそれぞれ示している。また、図２Ｃ及び図２Ｄは、ｎが２または１のそれぞれの場合について、ｍ＝１でＧN＝２の場合を示す。図２Ａ〜図２Ｄに示すように、ＮまたはＧN等の第１情報及びｍに対応する第２情報が特定される場合、ＰＨＩＣＨが送信される資源領域は、あらかじめ決定されたパターンによって獲得することができ、これによってｎ個の範囲内のＯＦＤＭシンボル領域内でＰＤＣＣＨが送信される位置がわかる。
【００３４】
したがって、以下の実施形態では、上記の第１情報及び第２情報を效率的に通知する方法を説明する。このようにＰＨＩＣＨ送信領域情報を效率的に伝達する方法を説明するに先立って、まず、各チャネルの受信のために必要な情報間の関係について再び検討する。
【００３５】
図３は、アクセスを開始するユーザ機器がＰＤＳＣＨを受信する上で必要な情報の関係を説明するための概念図である。
【００３６】
アクセスを開始するユーザ機器は、基本的なシステム情報をＰＢＣＨを受信（Ｓ３０１）して獲得できる。ただし、上述したように、より具体的なシステム情報獲得のためにはＰＤＳＣＨの受信（Ｓ３０２）が必要である。一方、ＰＤＳＣＨのスケジューリング情報は各サブフレームのＰＤＣＣＨを通じて送信されるので、ＰＤＳＣＨ受信（Ｓ３０２）のためには、ＰＤＣＣＨの受信（Ｓ３０３）が必要である。なお、ＰＤＣＣＨは、図２に示すように、各サブフレームのｎ個のＯＦＤＭシンボル範囲内でＰＨＩＣＨ及びその他の制御情報の送信領域以外の領域を通じて送信されるので、サブフレーム内におけるＰＨＩＣＨの送信領域に関する情報の獲得（Ｓ３０４）が必要である。
【００３７】
一方、ＰＨＩＣＨ送信領域は、既に図２と関連して詳述したように、第１情報及び第２情報を通じて決定することができる。
【００３８】
図３をみると、アクセスを開始するユーザ機器が第１情報及び第２情報を容易に獲得する方法は、第１情報及び／または第２情報をＰＢＣＨを通じて送信する方法であることがわかる。したがって、本発明の一実施形態では、まず、ＰＢＣＨを通じて第１情報を送信する方法を提案する。ＰＢＣＨを通じて第１情報を送信する場合、送信される情報は、サブフレーム当たりのＰＨＩＣＨの個数ＮまたはＰＨＩＣＨグループの個数ＧNになりうる。
【００３９】
一方、第１情報をシステム帯域幅によってあらかじめ定めておく方法も可能である。例えば、あるセルのシステム帯域内にＬ個のＲＢ（resource block：リソースブロック）が存在する場合、各ＲＢを通じたデータ送信によってＰＨＩＣＨ情報をダウンリンクで送信することができる。このような場合、各ダウンリンクサブフレームでは、システム帯域内のＲＢの個数に対応するＬ個のＰＨＩＣＨを基本のＮとして定義することができる。こうすると、別個にＮ値をユーザ機器に送信しなくて済む。または、Ｎ値の代わりにＰＨＩＣＨグループの個数であるＧN値を定義することによって、Ｎ値を定義するのと同じ効果を得ることができる。
【００４０】
この時、次のような事項が考慮される。例えば、アップリンクでマルチユーザＭＩＭＯやシングルユーザＭＩＭＯ送信が可能な場合、必要なダウンリンクＰＨＩＣＨの個数は、アップリンクで可能な空間多重度を掛けた数に増えることがある。また、アップリンクでデータを送信する時に多数のＲＢを通じて送信する場合、ダウンリンクで全てのＲＢに対するＰＨＩＣＨ情報を送信する必要がないため、ＰＨＩＣＨの個数が減ることもある。したがって、本発明のさらに他の実施形態では、上記第１の値を直接ＰＢＣＨを通じて送信するのではなく、システム帯域幅によってあらかじめ決定されたＰＨＩＣＨの基本個数（または、ＰＨＩＣＨグループの基本個数）を定めておき、ＰＢＣＨを通じてこのＰＨＩＣＨの基本個数（または、ＰＨＩＣＨグループの基本個数）とＰＨＩＣＨの実際の個数（または、ＰＨＩＣＨグループの実際の個数）との比率を知らせる方法を提案する。
【００４１】
例えば、システム帯域幅によってあらかじめＰＨＩＣＨグループの基本個数が決定されており、ＰＢＣＨを通じてこのＰＨＩＣＨグループの基本個数とＰＨＩＣＨグループの実際の個数との間の比率に該当する定数が伝達される場合を仮定する。一般的にＰＨＩＣＨグループは、直交コードにより同一の資源要素セットにマッピングされるＰＨＩＣＨを表し、３ＧＰＰ  ＬＴＥシステムでは、一つのＰＨＩＣＨグループにマッピングされるＰＨＩＣＨの個数は、サブフレーム構造によって８または４になりうる。具体的には、一般ＣＰを用いる場合、８個のＰＨＩＣＨが一つのＰＨＩＣＨグループにマッピングされ、拡張型ＣＰを用いる場合、４個のＰＨＩＣＨが一つのＰＨＩＣＨグループにマッピングされることがある。
【００４２】
例えば、一般ＣＰを用いるサブフレームにおいて周波数領域ＲＢ単位で表したダウンリンク帯域幅を
【数１】
2010518734.tif 000003
とする場合、ＰＨＩＣＨグループの個数は、下記数式（１）または（２）のように表すことができる。
【００４３】
【数２】
2010518734.tif 000004
【００４４】
【数３】
2010518734.tif 000005
【００４５】
上記の数式（１）及び（２）において、［ｘ］はｘ以上の整数を意味する。また、上記の数式（１）及び（２）において、ａはシステム帯域幅によってあらかじめ決定されたＰＨＩＣＨグループの基本個数
【数４】
2010518734.tif 000006
とＰＨＩＣＨグループの実際の個数ＧNとの間の比率に該当する定数で、本実施形態ではＰＢＣＨを通じて送信されるものと仮定する。例えば、このａは、１／６、１／２、１または２のいずれかとすることができるが、システムの要求条件によってその他の値にしてもよい。また、上記数式（１）及び（２）は、一般ＣＰを用いる場合について例示したもので、拡張型ＣＰを用いる場合、ＰＨＩＣＨグループの基本個数の２倍をＰＨＩＣＨグループの実際の個数ＧNの算定のために用いることができる。
【００４６】
一方、ＰＨＩＣＨの送信位置を確実に取得するためには、上述したＰＨＩＣＨ送信の個数ＮまたはＰＨＩＣＨグループの個数ＧNに対応する第１情報の他にも、ＰＨＩＣＨ持続期間ｍに対応する第２情報を確実に取得する必要がある。
【００４７】
このような第２情報について、本発明の一実施形態では第１情報と同様に、ＰＢＣＨのシグナリング情報を通じて伝達することを提案する。図２に示すように、ｍ値が１または３のいずれかに設定可能な場合、ＰＢＣＨの１ビットシグナリングを通じてユーザ機器に第２情報を伝達することができる。また、同一な１ビットシグナリングを通じて、ｍ値が１または２のいずれかであることを表すように設定することができる。
【００４８】
一方、本発明の他の一実施形態では、一つの帯域幅内においてＰＨＩＣＨ割当の数（Ｎ値）が可変である場合、帯域幅ごとにＮ値によってｍ値が決定されるようにあらかじめ定義する方法を提案する。例えば、１０ＭＨｚ帯域幅のシステムで、Ｎ値を１から５０まで変えて割り当てることができるとすれば、Ｎ値が１以上２５以下の場合は、ｍ＝１、２６以上５０以下の場合はｍ＝２というふうにあらかじめ定義しておくと、ｍ値を別個に送信しなくてもユーザ機器はＮ値を通じてｍ値がわかる。
【００４９】
上述したように、本発明の好ましい実施形態についての詳細な説明は、当業者が本発明を具現して実施できるように提供された。以上では本発明の好ましい実施形態を挙げて本発明を説明してきたが、該当技術分野における熟練した当業者には、添付の特許請求の範囲に記載された本発明の思想及び領域を逸脱しない範囲内で、本発明を多様に修正及び変更することができるということが理解できる。
【００５０】
したがって、本発明は、添付の特許請求の範囲及びそれと同等のものの範囲内で、本発明の多様な変形例を含むものである。
【産業上の利用可能性】
【００５１】
上述した本発明の各実施形態によるＰＨＩＣＨ送信資源領域情報の伝達方法及びこれを用いるＰＤＣＣＨ受信方法は、３ＧＰＰ  ＬＴＥシステムに適用されるのに好適である。ただし、本発明に適用されたユーザ機器が各チャネル情報を受信し、そのために必要な情報を獲得する原理は、他の無線通信システムにも適用することができる。
【図１】
2010518734.tif 000007
【図２Ａ】
2010518734.tif 000008
【図２Ｂ】
2010518734.tif 000009
【図２Ｃ】
2010518734.tif 000010
【図２Ｄ】
2010518734.tif 000011
【図３】
2010518734.tif 000012
【国際調査報告】
2010518734.tif 000013
2010518734.tif 000014